(57)【要約】      （修正有）【課題】電動ベッドの安全性を向上できる電動ベッドの背もたれの昇降装置を提供する。【解決手段】背もたれに連結するストラットバー１およびベッドフレームの両側に連結する固定ロッド２が含まれ、前記ストラットバーは電動伸縮ロッド３に連結され、電動伸縮ロッドはモータ駆動装置４に連結され、電動伸縮ロッドの任意の一端は緩衝保護装置に連結され、前記緩衝保護装置は緩衝軸５および緩衝軸に可動的に連結する緩衝連結ロッドから構成される。電動ベッドに応用され、若し電動ベッドが展開の過程において抵抗にぶつかった場合、緩衝保護装置中の緩衝連結ロッドが緩衝軸を軸として９０度回転し、その過程において電動ベッドの制御回路の運動方向変更の分岐回路が信号を獲得して背もたれの運行方向を変更させる。【選択図】図１
0003143404.tif 000002
【実用新案登録請求の範囲】
【請求項１】
背もたれに連結するストラットバーおよびベッドフレームの両側に連結する固定ロッドが含まれており、前記ストラットバーは電動伸縮ロッドに連結され、電動伸縮ロッドはモータ駆動装置に連結され、電動伸縮ロッドの任意の一端が緩衝保護装置に連結され、前記緩衝保護装置は緩衝軸および緩衝軸に可動的に連結する緩衝連結ロッドから構成されていることを特徴とする電動ベッドの背もたれの昇降装置。
【請求項２】
緩衝連結ロッドには異常位置センサーが設置されており、異常位置センサーが監視センサーに直列に連結することにより形成される運動方向変更の分岐回路は、上昇制御の分岐回路に並列に接続されており、前記監視センサーの両端が時間遅延継電器に並列に接続されており、前記ベッドの両側に連結する固定ロッドには正常位置センサーが設置されており、正常位置センサーは降下制御の分岐回路に直列に接続されていることを特徴とする請求項１記載の電動ベッドの背もたれの昇降装置。
【請求項３】
電動伸縮ロッドの先端が緩衝保護装置に連結されており、電動伸縮ロッドの先端が緩衝連結ロッドの一端に固定的に連結されており、緩衝軸はベッドフレームの両側に連結する固定ロッドに固定されていることを特徴とする請求項１記載の電動ベッドの背もたれの昇降装置。
【請求項４】
電動伸縮ロッドの末端が緩衝保護装置に連結されており、電動伸縮ロッドの末端が緩衝連結ロッドの一端に固定的に連結されており、緩衝軸は背もたれに連結するストラットバーに固定されていることを特徴とする請求項１記載の電動ベッドの背もたれの昇降装置。
【考案の詳細な説明】
【技術分野】
【０００１】
本考案は、生活用品の分野に関し、より詳しくは電動ベッドの背もたれ用の昇降装置に関するものである。
【背景技術】
【０００２】
電動ベッドは折畳んで保管することができ、省スペースなので、ますます消費者に受け入られている。が、従来の電動ベッドは使用中において安全上の潜在的な不具合要素があり、例えば電動制御のつまみが子供に無意識に接触されると、ベッド本体が自動的に展開し、または折畳し、障害にぶつかっても停止、または一時停止することができないので、子供が挟まれ怪我をさせ、またはひどい場合には挟まれて死亡する事故を発生させる恐れががある。従って、電動ベッドの安全性は消費者に疑問をもたらしている。
【考案の開示】
【考案が解決しようとする課題】
【０００３】
本考案は上記の技術課題を解決するものであり、従来技術に存在している欠点を克服し、電動ベッドの安全性を向上できる電動ベッドの背もたれの昇降装置を提供するものである。
【課題を解決するための手段】
【０００４】
本考案の電動ベッドの背もたれの昇降装置は、下記の技術手段によって実現される。即ち、背もたれに連結するストラットバーおよびベッドフレームの両側に連結する固定ロッドが含まれ、前記ストラットバーは電動伸縮ロッドに連結され、電動伸縮ロッドはモータ駆動装置に連結され、電動伸縮ロッドの任意の一端は緩衝保護装置に連結され、前記緩衝保護装置は緩衝軸および緩衝軸に可動的に連結する緩衝連結ロッドから構成されることを特徴とする。
【０００５】
本考案では、前記緩衝連結ロッドには異常位置センサーが設置され、異常位置センサーが監視センサーに直列に連結することにより形成される運動方向変更の分岐回路は、上昇制御の分岐回路に並列に接続され、前記監視センサーの両端は時間遅延継電器に並列に接続される。前記ベッドフレームの両側に連結する固定ロッドには正常位置センサーが設置され、正常位置センサーは降下制御の分岐回路に直列に接続される。
【０００６】
本考案では、前記電動伸縮ロッドの先端は緩衝保護装置に連結され、電動伸縮ロッドの先端は緩衝連結ロッドの一端に固定的に連結され、緩衝軸はベッドフレームの両側に連結する固定ロッドに固定される。
【０００７】
本考案では、前記電動伸縮ロッドの末端は緩衝保護装置に連結され、電動伸縮ロッドの末端は緩衝連結ロッドの一端に固定的に連結され、緩衝軸は背もたれに連結するストラットバーに固定される。
【考案の効果】
【０００８】
本考案は電動ベッドに応用される。電動ベッドが展開の過程において抵抗にぶつかった場合には、緩衝保護装置中の緩衝連結ロッドが緩衝軸を軸として、９０度回転し、この過程において電動ベッドの制御回路の運動方向変更の分岐回路が信号を獲得し、背もたれの運行方向を変更させ、これによって有効に事故発生を防止することができ、有効に電動ベッドの安全性を向上することができる。
【考案を実施するための最良の形態】
【０００９】
以下に、図面を参照しつつ本考案についてさらに説明する。
【００１０】
図１に示すように、電動ベッドは、背もたれと連結するストラットバー１とベッドフレームの両側に連結する固定ロッド２を備えている。そのうちのストラットバー１は電動伸縮ロッド３に連結され、電動伸縮ロッド３はモータ駆動装置４に連結され、電動伸縮ロッド３の先端は緩衝保護装置に連結され、前記緩衝保護装置は緩衝軸５と緩衝軸に可動的に連結する緩衝連結ロッド６から構成され、電動伸縮ロッド３の先端は緩衝連結ロッド６の一端に固定的に連結され、緩衝軸５はベッドフレームの両側に連結する固定ロッド２に固定され、緩衝連結ロッド６には異常位置センサー７が設置され、ベッドの両側に連結する固定ロッドには正常位置センサー８が設置される。
【００１１】
電動伸縮ロッド３の末端は緩衝保護装置に連結され、同様に保護の役割を果たす。電動伸縮ロッド３の末端は緩衝連結ロッドの一端に固定的に連結され、緩衝軸は背もたれに連結するストラットバーに固定される。
【００１２】
本考案は、図２に示すように、異常位置センサーＸＫ４が監視センサーＪ３に直列に接続することにより形成される運動方向変更の分岐回路が、上昇制御の分岐回路に並列に接続され、前記監視センサーＪ３の両端は時間遅延継電器JSに並列に接続される。上昇制御の分岐回路は降下制御回路に並列に接続され、正常位置センサーＸＫ３は降下制御の分岐回路に直列に接続される。
【００１３】
本考案のストラットバーを電動ベッドの背もたれに連結させ、電動ベッドの背もたれが展開の過程において抵抗にぶつかった場合には、緩衝保護装置中の緩衝連結ロッドが緩衝軸を軸として、９０度回転する。その時に電動ベッドの機械的伝動装置は、運動方向を変更させ、異常位置センサーＸＫ４に信号を獲得させ、監視センサーＪ３、時間遅延継電器ＪＳを同時に作動させ、監視センサーＪ３が降下制御の分岐回路中のスイッチを閉鎖させ、背もたれは直ちに降下を停止する。同時に時間遅延継電器ＪＳは上昇制御の分岐回路の制御押しボタンＱＡ１に並列に接続するＪＳスイッチを閉鎖させ、上昇分岐回路を開路にし、背もたれを自動的に上昇させ、且つ一定の時間を維持させ、背もたれを一定の空間まで上昇させ、事故の発生を防止する。正常位置センサーＸＫ３は降下制御の分岐回路に直列に接続されており、背もたれが規定の位置に降下する際、正常位置センサーＸＫ３が信号を獲得して、背もたれの降下を停止させる。
【００１４】
前記実施例は本考案の好ましい実施方式について説明するためになされたものであり、本考案の構想および範囲を限定するものではなく、本考案の設計構想の前提の下で、本分野における普通の技術者は本考案の技術に対する様々な変更および改良は、すべて本考案の保護範囲に属するものである。
【図面の簡単な説明】
【００１５】
【図１】本考案の電動ベッドの背もたれの昇降装置の構造を説明する図である。
【図２】本考案の制御回路原理の説明図である。
【符号の説明】
【００１６】
１  ストラットバー
２  固定ロッド
３  電動伸縮ロッド
４  モータ駆動装置
５  緩衝軸
６  緩衝連結ロッド
７  異常位置センサー
８  正常位置センサー
【図１】
0003143404.tif 000003
【図２】
0003143404.tif 000004